(57)【特許請求の範囲】
【請求項１】
画像形成装置本体に対して着脱可能となるように懸架され、トナー像が形成される感光体を含む感光体ユニットであって、
前記画像形成装置本体は、前記画像形成装置本体内の空気を外部に出すために空気の流れを作るファンと、ファンによって作られた空気の流れを通すフィルターとを含み、前記感光体ユニットは前記ファンと前記フィルターとの間に設けられており、
前記感光体ユニットは、
前記感光体ユニットの短手方向の一方の側から前記画像形成装置本体の本体レールと係合する第１の係合部と、
前記感光体ユニットの短手方向の他方の側から前記本体レールと係合する第２の係合部とを備え、
前記第１の係合部は、前記感光体ユニットの懸架方向および前記感光体ユニットの長手方向に対して直角な方向に前記第１の係合部を貫通する第１の切欠きを含み、
前記第２の係合部は、前記感光体ユニットの懸架方向および前記感光体ユニットの長手方向に対して直角な方向に前記第２の係合部を貫通する第２の切欠きを含む、感光体ユニット。
【請求項２】
前記第１の切欠きは、前記第１の係合部に開口された穴を含む、請求項１に記載の感光体ユニット。
【請求項３】
前記第２の係合部は、前記感光体ユニットの懸架方向とは反対の方向に突出する複数の係合片を含み、
前記第２の切欠きは、前記複数の係合片の各々の隙間を含む、請求項１または２に記載の感光体ユニット。
【請求項４】
前記第１および第２の切欠きの各々は、前記感光体ユニットの長手方向に沿った互いに異なる位置に形成されている、請求項１〜３のいずれかに記載の感光体ユニット。
【請求項５】
請求項１〜４のいずれかに記載の感光体ユニットと、
前記画像形成装置本体とを備え、
前記画像形成装置本体は前記本体レールを含む、画像形成装置。
【請求項６】
前記本体レールは、前記画像形成装置本体に装着された状態の前記感光体ユニットと前記感光体ユニットの懸架方向と反対方向で重なる領域に、開口を含まない、請求項５に記載の画像形成装置。
【請求項７】
前記画像形成装置本体は、
前記感光体ユニットの短手方向の一方側に設けられた前記フィルターと、
前記感光体ユニット短手方向の他方側に設けられた前記ファンとを含む、請求項５または６に記載の画像形成装置。
【請求項８】
前記フィルターはオゾンフィルターである、請求項７に記載の画像形成装置。
【請求項９】
前記画像形成装置本体は、前記感光体ユニットの上部に設けられた定着装置をさらに含む、請求項７または８に記載の画像形成装置。
【発明の詳細な説明】
【技術分野】
【０００１】
本発明は、感光体ユニットおよびこれを備えた画像形成装置に関する。より特定的には、本発明は、感光体ユニットを冷却することのできる感光体ユニットおよびこれを備えた画像形成装置に関する。
【背景技術】
【０００２】
ＭＦＰ（Ｍｕｌｔｉｆｕｎｃｔｉｏｎ  Ｐｅｒｉｐｈｅｒａｌ）は、スキャナー機能、ファクシミリ機能、複写機能、プリンターとしての機能、データ通信機能、およびサーバー機能を備えている。
【０００３】
ＭＦＰを含む画像形成装置は、一般に、感光体上の静電潜像にトナーを吸着させることにより、感光体上にトナー像を形成する。そして画像形成装置は、感光体上にトナー像を形成し、このトナー像を転写材（用紙）に転写して、定着装置にて圧着する。これにより、転写材に画像が形成される。
【０００４】
現像装置や感光体は、消耗部品であり、独立したユニットとして画像形成装置本体に対して着脱可能とされている。現像ユニットや感光体ユニットは、寿命が来た時点で他の部品とは独立して交換される。感光体ユニットは、画像形成装置本体における感光体ユニットを装着する部分の下部に設けられたガイドレールに沿って、感光体ユニットの長手方向に挿入することにより、画像形成装置本体に装着される。
【０００５】
感光体ユニットは、カラーコピー機などでは長手方向に風を流すことにより冷却される。感光体ユニットに送風するためのファンは、背面に配置されている場合が多い。
【０００６】
なお、従来の画像形成装置の構成は、たとえば下記特許文献１などに開示されている。下記特許文献１には、ポリゴンファンと、ポリゴンファンから送風される空気を、分岐部を介して露光装置と感光体ユニットとの各々へ導くエアーフローとを備えた画像形成装置が開示されている。
【先行技術文献】
【特許文献】
【０００７】
【特許文献１】特開２０００−１９４２５０号公報
【発明の概要】
【発明が解決しようとする課題】
【０００８】
感光体ユニットと定着装置とは近接して設置されているため、定着装置から発生する熱で感光体ユニットが高温になるという問題があった。感光体ユニットが高温になると、ブレードで感光体からかきとった廃トナーなどが高温によって溶けて凝固し、画像不良が発生するおそれがある。
【０００９】
特許文献１では、感光体ユニットに空気を送風して冷却している。しかし、特許文献１の技術では、１つの送風手段による風を露光装置と感光体ユニットとの各々へ導くので、感光体ユニットへ導かれる風の量が少なく、感光体ユニットを効率よく冷却することができなかった。
【００１０】
本発明は、上記課題を解決するためのものであり、その目的は、感光体ユニットを効率よく冷却することのできる感光体ユニットおよびこれを備えた画像形成装置を提供することである。
【課題を解決するための手段】
【００１１】
本発明の一の局面に従う感光体ユニットは、画像形成装置本体に対して着脱可能となるように懸架され、トナー像が形成される感光体を含む感光体ユニットであって、画像形成装置本体は、画像形成装置本体内の空気を外部に出すために空気の流れを作るファンと、ファンによって作られた空気の流れを通すフィルターとを含み、感光体ユニットはファンとフィルターとの間に設けられており、感光体ユニットは、感光体ユニットの短手方向の一方の側から画像形成装置本体の本体レールと係合する第１の係合部と、感光体ユニットの短手方向の他方の側から本体レールと係合する第２の係合部とを備え、第１の係合部は、感光体ユニットの懸架方向および感光体ユニットの長手方向に対して直角な方向に第１の係合部を貫通する第１の切欠きを含み、第２の係合部は、感光体ユニットの懸架方向および感光体ユニットの長手方向に対して直角な方向に第２の係合部を貫通する第２の切欠きを含む。
【００１２】
上記感光体ユニットにおいて好ましくは、第１の切欠きは、第１の係合部に開口された穴を含む。
【００１３】
上記感光体ユニットにおいて好ましくは、第２の係合部は、感光体ユニットの懸架方向とは反対の方向に突出する複数の係合片を含み、第２の切欠きは、複数の係合片の各々の隙間を含む。
【００１４】
上記感光体ユニットにおいて好ましくは、第１および第２の切欠きの各々は、感光体ユニットの長手方向に沿った互いに異なる位置に形成されている。
【００１５】
本発明の他の局面に従う画像形成装置は、上記のいずれかの感光体ユニットと、画像形成装置本体とを備え、画像形成装置本体は本体レールを含む。
【００１６】
上記画像形成装置において好ましくは、本体レールは、画像形成装置本体に装着された状態の感光体ユニットと感光体ユニットの懸架方向と反対方向で重なる領域に、開口を含まない。
【００１７】
上記画像形成装置において好ましくは、画像形成装置本体は、感光体ユニットの短手方向の一方側に設けられたフィルターと、感光体ユニット短手方向の他方側に設けられたファンとを含む。
上記画像形成装置において好ましくは、フィルターはオゾンフィルターである。
上記画像形成装置において好ましくは、画像形成装置本体は、感光体ユニットの上部に設けられた定着装置をさらに含む。
【発明の効果】
【００１８】
本発明によれば、感光体ユニットを効率よく冷却することのできる感光体ユニットおよびこれを備えた画像形成装置を提供することができる。
【図面の簡単な説明】
【００１９】
【図１】本発明の一実施の形態における画像形成装置１００の構成を示す断面図である。
【図２】本発明の一実施の形態における感光体ユニット１３１付近の詳細な構成を示す断面図である。
【図３】図２の感光体ユニット１３１の上部付近の拡大図である。
【図４】本発明の一実施の形態における感光体ユニット１３１の構成を示す斜視図である。
【図５】本発明の一実施の形態における感光体ユニット１３１の構成を示す上面図である。
【図６】本発明の一実施の形態における感光体ユニット１３１の構成を示す左側面図である。
【図７】本発明の一実施の形態における感光体ユニット１３１の構成を示す右側面図である。
【図８】本発明の一実施の形態における感光体ユニット１３１の一部を拡大して示す斜視図である。
【図９】本発明の一実施の形態における本体レール１８１の構成を示す斜視図である。
【図１０】本発明の変形例の感光体ユニット１３１における、ユニット側ガイド２２および２４の位置を模式的に示す図である。
【発明を実施するための形態】
【００２０】
以下、本発明の一実施の形態について、図面に基づいて説明する。
【００２１】
本実施の形態では、画像形成装置がモノクロコピー機である場合について説明する。画像形成装置は、モノクロコピー機である場合の他、カラーコピー機、ＭＦＰ、ファクシミリ装置、またはプリンターなどであってもよい。
【００２２】
以降の説明において、感光体ユニットを除く画像形成装置の部分を「画像形成装置本体」と記すことがある。また、画像形成装置本体に感光体ユニットを装着する際の、感光体ユニットの挿入方向の手前側を「手前側」、奥側を「奥側」と記すことがある。
【００２３】
図１は、本発明の一実施の形態における画像形成装置１００の構成を示す断面図である。
なお、以降の図において、Ｘ軸の方向は、感光体ユニットの短手方向を示している。Ｙ軸方向は、感光体ユニットの長手方向を示している。Ｚ軸の正の方向は、画像形成装置本体に感光体ユニットが懸架する方向（懸架方向）を示している。Ｘ軸、Ｙ軸、およびＺ軸の各々は互いに直交している。
【００２４】
図１を参照して、画像形成装置１００は、電子写真方式により画像を形成する画像形成装置であって、給紙部１１０と、用紙搬送部１２０と、画像形成部１３０と、定着装置１４０と、排紙トレイ１５０と、ＡＤＦ（Ａｕｔｏ  Ｄｏｃｕｍｅｎｔ  Ｆｅｅｄｅｒ）部１６０と、スキャナー１７０とを備えている。
【００２５】
給紙部１１０は、サイズ毎に用紙を収納しておくための複数の給紙カセットと、複数の給紙カセットのいずれかから用紙を繰り出すための給紙ローラーとを含んでいる。
【００２６】
用紙搬送部１２０は、搬送経路ＲＴに沿って用紙を搬送する。搬送経路ＲＴは、図１中下方向から上方向へ延びている。用紙搬送部１２０は、転写ローラー１３５へ用紙を繰り出すタイミングをとるためのレジストローラーや、画像形成後の用紙を排紙トレイ１５０へ排紙するための排紙ローラーなどを含んでいる。
【００２７】
画像形成部１３０は、電子写真方式により用紙上に画像を転写する。画像形成部１３０は、感光体ユニット１３１と、露光装置１３３と、現像ユニット１３４と、転写ローラー１３５とを含んでいる。感光体ユニット１３１は、感光体ドラム１１（感光体の一例）と、帯電装置１２と、ブレード１３などを含んでいる。感光体ユニット１３１および現像ユニット１３４の各々は、画像形成装置本体に対して着脱可能である。
【００２８】
帯電装置１２は、感光体ドラム１１上に帯電する。露光装置１３３は、画像データに基づいて、帯電装置１２により一様に帯電された感光体ドラム１１上に潜像を形成する。現像ユニット１３４は、潜像が形成された感光体ドラム１１上にトナーを付着させることにより、トナー像を形成する（現像する）。転写ローラー１３５は、感光体ドラム１１に形成されたトナー像を用紙に転写する。転写ローラー１３５には高電圧が印加されている。ブレード１３は、現像後に感光体ドラム１１上に残ったトナーを除去する。
【００２９】
定着装置１４０は、用紙上に転写されたトナー像を定着させる。定着装置１４０は、搬送経路ＲＴにおける転写ローラー１３５よりも下流側に配置されている。
【００３０】
ＡＤＦ部１６０は、原稿トレイ１６１に配置された原稿を１枚ずつスキャナー１７０に送る。
【００３１】
スキャナー１７０は、原稿の画像を読み取り、画像データを作成する。
【００３２】
図２は、本発明の一実施の形態における感光体ユニット１３１付近の詳細な構成を示す断面図である。
【００３３】
図２を参照して、感光体ユニット１３１は、図２中中央部に配置されている。感光体ユニット１３１は、感光体ドラム１１と、帯電装置１２と、ブレード１３と、除電部材１４と、搬送スクリュー１５と、撹拌スクリュー１６と、ユニット筐体１７と、区画壁１８とを含んでいる。
【００３４】
感光体ドラム１１は、ユニット筐体１７に対して回転可能に軸支されている。感光体ドラム１１の一部は、ユニット筐体１７から露出している。感光体ドラム１１の露出領域は、感光体ドラム１１の長手方向（Ｙ軸方向）全体にわたって形成されている。帯電装置１２およびブレード１３は、感光体ドラム１１の近傍に設けられている。除電部材１４は、ブレード１３の下部に設けられている。除電部材１４は、現像後に感光体ドラム１１上に残った静電潜像を除去する。
【００３５】
搬送スクリュー１５および撹拌スクリュー１６の各々は、区画壁１８によって区画された廃トナー回収室の内部に設けられている。ブレード１３によって回収された廃トナーは、搬送スクリュー１５および撹拌スクリュー１６の作用によって、感光体ユニット１３１の外部（感光体ユニット１３１のＹ軸の正方向の側面）に取り付けられた廃トナーボックス（図示無し）に搬送される。
【００３６】
感光体ユニット１３１の図２中右側には、リブ１８４が設けられている。感光体ユニット１３１の上部には、定着装置１４０が配置されている。転写ローラー１３５（図１）によってトナー像を転写された用紙は、感光体ユニット１３１とリブ１８４との間の搬送経路ＲＴに沿って定着装置１４０へ搬送される。
【００３７】
定着装置１４０は、感光体ユニット１３１の図２中上部に設けられている。定着装置１４０は、加熱ローラー１４１と、加圧ローラー１４２とを含んでいる。定着装置１４０は、加熱ローラー１４１と加圧ローラー１４２とで用紙を挟み込むことによって、用紙に対して熱および圧力を加え、トナー像を用紙に定着させる。定着装置１４０は発熱源であり、感光体ユニット１３１に対して熱を及ぼす。
【００３８】
感光体ユニット１３１の図２中左側（Ｘ軸の負の方向の側）には、オゾンフィルター１８２ａが配置されている。オゾンフィルター１８２ａは、オゾンダクト１８２の中に配置されている。オゾンフィルター１８２ａは、帯電装置１２で発生したオゾンを吸着する。オゾンフィルター１８２ａは、活性炭を織布、不織布、または薄板などの基材に担持させる吸着フィルタや、ハニカム状構造のフィルタなどによりなっている。
【００３９】
感光体ユニット１３１の図２中右側（Ｘ軸の正の方向の側）には、サクションファン１８３が配置されている。サクションファン１８３は、矢印ＡＲ１で示す方向の風を生み出すことで、画像形成装置１００の内部の空気を画像形成装置１００の外部へ排出する。具体的には、サクションファン１８３は、帯電装置１２付近の空気をオゾンフィルター１８２ａに吸着させる。そしてサクションファン１８３は、オゾンフィルター１８２ａから排出された空気を、感光体ユニット１３１の上部およびリブ１８４を経由して、画像形成装置１００の筐体に設けられた排気部１８５に導く。排気部１８５に導かれた空気は、画像形成装置１００の外部へ排出される。矢印ＡＲ１で示す風の流れは、オゾンの吸引、感光体ユニット１３１の上部の冷却、およびリブ１８４への用紙の引き付けなどに用いられる。
【００４０】
図３は、図２の感光体ユニット１３１の上部付近の拡大図である。
【００４１】
図３を参照して、画像形成装置１００は、画像形成装置本体側に固定された本体レール１８１をさらに備えている。本体レール１８１は、棒状であり、その長手方向がＹ軸方向に延在している。
【００４２】
感光体ユニット１３１は、その上部にユニット側ガイド２２（第１の係合部の一例）と、ユニット側ガイド２４（第２の係合部の一例）とを含んでいる。感光体ユニット１３１は、像形成装置本体に対して懸架されており、本体レール１８１からＺ軸の正の方向に吊り下げられている。感光体ユニット１３１は、ユニット側ガイド２２および２４の各々で、本体レール１８１と係合している。ユニット側ガイド２２は、図３中左側から本体レール１８１と係合している。ユニット側ガイド２４は、図３中右側から本体レール１８１と係合している。ユニット側ガイド２２および２４の各々には切欠きが形成されている。オゾンフィルター１８２ａから排出された空気は、矢印ＡＲ１で示すように、ユニット側ガイド２２の切欠きを通って本体レール１８１と感光体ユニット１３１との間の空間ＳＰに入り込み、その後ユニット側ガイド２４の切欠きを通って空間ＳＰから出る。
【００４３】
図４〜図７は、本発明の一実施の形態における感光体ユニット１３１の構成を示す図である。図４は斜視図であり、図５は上面図であり、図６は左側面図であり、図７は右側面図である。
【００４４】
主に図４〜図６を参照して、ユニット側ガイド２２は、切欠きとして穴２３および隙間２６（第１の切欠きの一例）を含んでいる。穴２３および隙間２６の各々は、Ｘ軸方向にユニット側ガイド２２を貫通している。
【００４５】
隙間２６は、ユニット側ガイド２２が形成されていない箇所である。ユニット側ガイド２２は、隙間２６によって係合片２２ａ、２２ｂ、２２ｃ、および２２ｄの各々に分断されている。係合片２２ａ、２２ｂ、２２ｃ、および２２ｄの各々は、Ｚ軸の負の方向に突出しており、奥側から手前側に向かってこの順序で配置されている。穴２３は、係合片２２ａ、２２ｂ、２２ｃ、および２２ｄの各々に開口されている。係合片２２ａは、手前側の部分に２つの穴２３を含んでいる。係合片２２ｂは３つの穴２３を含んでいる。係合片２２ｃは２つの穴２３を含んでいる。係合片２２ｄは、奥側の部分に２つの穴２３を含んでいる。
【００４６】
なお、本体レール１８１との係合をスムーズにするために、係合片２２ａ、２２ｂ、２２ｃ、および２２ｄの各々は、面取りされることが好ましい。
【００４７】
主に図４、図５、および図７を参照して、ユニット側ガイド２４は、隙間２５（第２の切欠きの一例）を含んでいる。隙間２５は、Ｘ軸方向にユニット側ガイド２４を貫通している。
【００４８】
隙間２５は、ユニット側ガイド２４が形成されていない箇所である。ユニット側ガイド２４は、隙間２５によって係合片２４ａ、２４ｂ、２４ｃ、２４ｄ、２４ｅ、２４ｆ、および２４ｇの各々に分断されている。係合片２４ａ、２４ｂ、２４ｃ、２４ｄ、２４ｅ、２４ｆ、および２４ｇの各々は、Ｚ軸の負の方向に突出しており、奥側から手前側に向かってこの順序で配置されている。係合片２４ａ、２４ｂ、２４ｃ、２４ｄ、２４ｅ、２４ｆ、および２４ｇの各々には、穴は形成されていない。
【００４９】
なお、本体レール１８１との係合をスムーズにするために、係合片２４ａ、２４ｂ、２４ｃ、２４ｄ、２４ｅ、２４ｆ、および２４ｇの各々は、面取りされることが好ましい。
【００５０】
ユニット側ガイド２２に形成される切欠きは、穴のみであってもよいし、隙間のみであってもよい。ユニット側ガイド２４に形成される切欠きは、穴のみであってもよいし、穴および隙間であってもよい。
【００５１】
主に図７を参照して、感光体ユニット１３１は、ガイド爪２７と、分離爪２８と、廃トナーシャッター２９とをさらに含んでいる。ガイド爪２７は、搬送経路ＲＴに沿って搬送する用紙をガイドするためのものである。分離爪２８は、感光体１１からの用紙の分離を促進するためのものである。廃トナーシャッター２９は、廃トナーを廃トナーボックス（図示無し）へ排出するものである。廃トナーシャッター２９は、ユニット筐体１７のＹ軸の負の方向の側面から突出している。
【００５２】
図８は、本発明の一実施の形態における感光体ユニット１３１の一部を拡大して示す斜視図である。
【００５３】
図６および図８を参照して、係合片２２ａ、２２ｂ、２２ｃ、および２２ｄの各々は、Ｌ字型の断面形状を有しており、柱部３１と天井部３２とを含んでいる。柱部３１は感光体ユニット１３１の筐体からＺ軸の負の方向に突出している。天井部３２は、柱部３１の上端部からＸ軸の正の方向に突出している。複数の穴２３の各々は、柱部３１に形成されている。
【００５４】
図７および図８を参照して、係合片２４ａ、２４ｂ、２４ｃ、２４ｄ、２４ｅ、２４ｆ、および２４ｇの各々は、Ｌ字型の断面形状を有しており、柱部３３と天井部３４とを含んでいる。柱部３３は感光体ユニット１３１の筐体からＺ軸の負の方向に突出している。天井部３４は、柱部３３の上端部からＸ軸の負の方向に突出している。
【００５５】
図９は、本発明の一実施の形態における本体レール１８１の構成を示す斜視図である。
【００５６】
図９を参照して、本体レール１８１は、レール部１８１ａと、固定部１８１ｂおよび１８１ｃとを含んでいる。レール部１８１ａは、ユニット側ガイド２２および２４の各々と係合する部分である。固定部１８１ｂは、レール部１８１ａの手前側においてＺ軸の負の方向に突出している。固定部１８１ｃは、レール部１８１ａの奥側においてＺ軸の負の方向に突出している。固定部１８１ｂおよび１８１ｃの各々は、本体レール１８１を画像形成装置本体に固定する部分である。
【００５７】
レール部１８１ａは、領域ＲＧ１を含んでいる。領域ＲＧ１は、画像形成装置本体に装着された状態の感光体ユニット１３１とＺ軸方向で重なる領域である。本体レール１８１は、領域ＲＧ１に開口を含んでいない。これにより、空間ＳＰ（図３）にＸ軸方向の風を流しやすくなる。
【００５８】
本実施の形態によれば、本体レール１８１と感光体ユニット１３１の上部との間の空間ＳＰに対して、Ｘ軸方向に抜けるように風を流すことができる。これにより、感光体ユニット１３１の上部を効率よく冷却することができ、定着装置１４０から受ける熱の影響を低減することができる。加えて、サクションファン１８３の動作よって生じる風の流れが改善されるので、オゾンフィルター１８２ａで吸引する風量を増加することができ、帯電装置１２付近におけるオゾン濃度を低減することができる。
【００５９】
［変形例］
【００６０】
図１０は、本発明の変形例の感光体ユニット１３１における、ユニット側ガイド２２および２４の位置を模式的に示す図である。
【００６１】
図１０を参照して、本変形例において、ユニット側ガイド２２の切欠きおよびユニット側ガイド２４の切欠きの各々は、Ｙ軸方向に沿った互いに異なる位置に形成されている。本変形例では、ユニット側ガイド２２には、切欠きとして隙間２６ａおよび２６ｂが形成されており、穴は形成されていない。ユニット側ガイド２４には、切欠きとして隙間２５ａおよび２５ｂが形成されており、穴は形成されていない。
【００６２】
Ｙ軸方向に沿って奥側から手前側に向かって、隙間２６ａ、２５ａ、２６ｂ、および２５ｂの各々がこの順序で形成されている。隙間２６ａは、最も奥側に形成されている。隙間２５ａの奥側端部の位置は、隙間２６ａの手前側端部よりも手前側であるので、隙間２６ａと隙間２５ａとはＹ軸方向で重ならない。隙間２６ｂの奥側端部の位置は、隙間２５ａの手前側端部よりも手前側であるので、隙間２５ａと隙間２６ｂとはＹ軸方向で重ならない。隙間２５ｂの奥側端部の位置は、隙間２６ｂの手前側端部よりも手前側であるので、隙間２６ｂと隙間２５ｂとはＹ軸方向で重ならない。
【００６３】
本変形例によれば、ユニット側ガイド２２および２４がＹ軸方向に沿って互い違いに形成されるので、感光体ユニット１３１の本体レール１８１からの脱落を防止することができ、感光体ユニット１３１を安定して懸架することができる。
【００６４】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６５】
１１  感光体ドラム
１２  帯電装置
１３  ブレード
１４  除電部材
１５  搬送スクリュー
１６  撹拌スクリュー
１７  ユニット筐体
１８  区画壁
２２，２４  ユニット側ガイド
２２ａ，２２ｂ，２２ｃ，２２ｄ，２４ａ，２４ｂ，２４ｃ，２４ｄ，２４ｅ，２４ｆ，２４ｇ  係合片
２３  穴
２６，２６ａ，２６ｂ，２５，２５ａ，２５ｂ  隙間
２７  ガイド爪
２８  分離爪
２９  廃トナーシャッター
３１，３３  柱部
３２，３４  天井部
１００  画像形成装置
１１０  給紙部
１２０  用紙搬送部
１３０  画像形成部
１３１  感光体ユニット
１３３  露光装置
１３４  現像ユニット
１３５  転写ローラー
１４０  定着装置
１４１  加熱ローラー
１４２  加圧ローラー
１５０  排紙トレイ
１６０  ＡＤＦ（Ａｕｔｏ  Ｄｏｃｕｍｅｎｔ  Ｆｅｅｄｅｒ）部
１６１  原稿トレイ
１７０  スキャナー
１８１  本体レール
１８１ａ  レール部
１８１ｂ  固定部
１８１ｃ  固定部
１８２  オゾンダクト
１８２ａ  オゾンフィルター
１８３  サクションファン
１８４  リブ
１８５  排気部
ＡＲ１  矢印
ＲＧ１  画像形成装置本体に装着された状態の感光体ユニットとＺ軸方向で重なる領域
ＲＴ  搬送経路
ＳＰ  本体レールと感光体ユニットとの間の空間
【図１】
0006428314.tif 000002
【図２】
0006428314.tif 000003
【図３】
0006428314.tif 000004
【図４】
0006428314.tif 000005
【図５】
0006428314.tif 000006
【図６】
0006428314.tif 000007
【図７】
0006428314.tif 000008
【図８】
0006428314.tif 000009
【図９】
0006428314.tif 000010
【図１０】
0006428314.tif 000011